(57)【要約】【課題】誤って本体やガードに触ってしまった場合においても、やけど等のない安全性の高い機器を提供すること。【解決手段】調理プレートの把手の外形ラインが、ガードの外形ラインよりも同一もしくは内側に位置させることにより、調理している際、たとえ不注意によって手や指が本体に当たったとしても、調理プレートがひっくりかえったりすることがなく、またガードが調理プレートの外側に配置されているため、直接調理プレートに触れることがないため、安全性の高い機器を提供できる。【選択図】図３
2010104489.tif 000002
【特許請求の範囲】
【請求項１】
耐熱性の絶縁材からなる天板と、前記天板を下方から支持する天板支持体と、前記天板支持体を支持する外郭と、前記天板上に配置され調理を行う金属性の略角形調理プレートと、前記調理プレートの側面を包囲するように前記天板及び前記天板支持体上に置かれたガードを備え、前記調理プレート両側面部には、耐熱性樹脂である把手を具備し、前記ガードと前記把手との嵌合部において、前記把手の外形ラインは前記ガードの外形ラインと同一もしくは前記天板中心側に配置された加熱調理器。
【請求項２】
ガード天面の位置は、調理プレート天面の位置より、高い位置に配置された請求項１に記載の加熱調理器。
【請求項３】
ガード四隅の内側の下部には、扇型のフランジを設け、前記フランジ内周部と天板四隅の外周部とが嵌合し、前記ガードを位置決めする請求項１または２に記載の加熱調理器。
【請求項４】
把手の下部と、前記把手との嵌合部にあたるガード嵌合部には、複数のリブをそれぞれ設けて両者は嵌合し、前記把手と前記ガードの隙間寸法は、前記ガードと調理プレートの隙間寸法より小となる請求項１〜３のいずれか１項にに記載の加熱調理器。
【請求項５】
ガードはガードＡとガードＢの２部品から構成された請求項１〜４のいずれか１項に記載の加熱調理器。
【請求項６】
ガードＡとガードＢは、嵌合部においてねじで締結された請求項１〜５のいずれか１項に記載の加熱調理器。
【請求項７】
ガードの把手との嵌合部の近傍において、前記ガードの裏側にぬすみ部を設け、持手を構成した請求項１〜６のいずれか１項に記載の加熱調理器。
【請求項８】
ガードの右側もしくは左側に本体の操作部を配置させた請求項１〜７のいずれか１項に記載の加熱調理器。
【発明の詳細な説明】
【技術分野】
【０００１】
本発明は、加熱調理器に関するものである。
【背景技術】
【０００２】
近年、調理機器においては、お客様からのニーズもより高いものとなり、基本性能、使い勝手、安全性のみならず、デザイン性の良さも望まれている。
【０００３】
従来、この種の加熱調理器の本体構成としては、例えば、本体上に枠状のガードをセットし、その上から把手を両側に設けた調理プレートがセットされ、その際、調理プレートの把手は、ガードからはみ出た形で配置されていた（例えば、特許文献１参照）。
【０００４】
図２１〜２３は特許文献１に記載された従来の加熱調理器の本体構成を示すものである。図２１〜２３において、セラミックプレート等で構成された天板１があり、天板１を下方から天板支持体２によって支持されている。天板支持体２の下方には、外郭３があり本体を構成している。さらに、天板１上には、調理を行う略角形の調理プレート４が載置され、両側面部には耐熱樹脂製の把手５が固定されている。調理プレート４の外周部には、調理プレート４を包囲するように樹脂性のガード６が配置されている。調理プレート４に固定された把手５は、ガード６の外側に飛び出して配置されている。
【特許文献１】特開２００５−７８９０１号公報
【発明の開示】
【発明が解決しようとする課題】
【０００５】
しかしながら、前記従来の構成では、調理している際、不注意により手が本体に接触した場合に、一番外に飛び出している把手５に当たりやすくなり、手が把手５に引っかかったりして、調理物が飛び出したり、やけどをしてしまう可能性があるという課題を有していた。
【０００６】
本発明は、上記従来の課題を解決するもので、本体構成において、誤って本体やガードに触ってしまった場合においても、やけど等のない安全性の高い機器を提供することを目的とする。
【課題を解決するための手段】
【０００７】
前記従来の課題を解決するために、本発明は、調理プレートの把手の外形ラインが、ガードの外形ラインよりも同一もしくは内側に位置させることとしたものである。
【０００８】
これによって、調理している際、たとえ不注意によって手や指が本体に当たったとしても、調理プレートがひっくりかえったりすることがなく、またガードが調理プレートの外側に配置されているため、直接調理プレートに触れることがないため、安全性の高い機器を提供できる。
【発明の効果】
【０００９】
本発明の加熱調理器は、調理している際、たとえ不注意によって手や指が本体に当たったとしても、調理プレートがひっくりかえったりすることがなく、またガードが調理プレートの外側に配置されているため、直接調理プレートに触れることがないため、安全性の高い機器を提供できる。
【００１０】
また、調理プレートの位置決めを樹脂部品どおしで行なえるため、高温による溶融のな
い信頼性の高い機器をも提供できる。
【発明を実施するための最良の形態】
【００１１】
第１の発明は、耐熱性の絶縁材からなる天板と、天板を下方から支持する天板支持体と、天板支持体を支持する外郭と、天板上に配置され調理を行う金属性の略角形調理プレートと、調理プレートの側面を包囲するように天板及び前記天板支持体上に置かれたガードを備え、調理プレート両側面部には、耐熱性樹脂である把手を具備し、ガードと把手との嵌合部において、把手の外形ラインはガードの外形ラインと同一もしくは天板中心側に配置された構成とすることにより、調理中、本体に手が当たったとしても、直接調理プレートに触れることがないため、やけどのしない安全性の高い機器を提供できる。
【００１２】
第２の発明は、特に第１の発明のガード天面の位置は、調理プレート天面の位置より、高い位置に配置された構成とすることにより、調理中、本体に手が当たったとしても、直接調理プレートに触れることがないため、やけどのしない安全性の高い機器を提供できる。
【００１３】
第３の発明は、特に第１の発明のガード四隅の内側の下部には、扇型のフランジを設け、フランジ内周部と天板四隅の外周部とが嵌合し、ガードを位置決めする構成とすることにより、ガードを確実に位置決めできる、使い勝手のよい機器を提供できる。
【００１４】
第４の発明は、特に第１の発明の把手の下部と把手との嵌合部にあたるガード嵌合部には、複数のリブをそれぞれ設けて両者は嵌合し、把手とガードの隙間寸法は、ガードとプレートの隙間寸法より小となる構成とするにより、たとえ調理プレートが本体セット後ずれたとしても、樹脂製のガードに触れることのない信頼性の高い機器を提供できる。
【００１５】
第５の発明は、特に第１の発明のガードは、ガードＡとガードＢの２部品から構成された構成とすることにより、収納やお手入れのしやすい使い勝手のよい機器を提供できる。
【００１６】
第６の発明は、特に第１の発明のガードＡとガードＢは、嵌合部においてねじで締結された構成とすることにより、収納やお手入れのしやすく、また堅固で使い勝手のよい機器を提供できる。
【００１７】
第７の発明は、特に第１の発明のガードの把手との嵌合部の近傍において、ガードの裏側にぬすみ部を設け、持手を構成することにより、ガードを本体から外す際、持ちやすい使い勝手のよい機器を提供できる。
【００１８】
第８の発明は、特に第１の発明のガードの右側もしくは左側に本体の操作部を配置させた構成とすることにより、本体正面からと本体右側もしくは本体左側からの両方から操作部が見やすい使い勝手のよい機器を提供できる。
【００１９】
以下、本発明の実施の形態について、図面を参照しながら説明する。なお、本実施の形態によって本発明が限定されるものではない。
【００２０】
（実施の形態１）
図１〜３は本発明の第１の実施の形態における加熱調理器の斜視図、上面図、断面図を示すものである。
【００２１】
図１〜３において、鍋等を載置するセラミックプレート等で構成された天板１１があり、天板１１を下方から外周部分のみを樹脂で構成された天板支持体１２で支持している。両者は、シリコン接着剤１３で接着されている。天板支持体１２の下方には、本体を構成
する外郭１４があり、天板支持体１２を支持している。天板支持板１２と外郭１４の外形は同一面で構成されている。天板１１上には、焼肉等の調理を行う金属製の略角形の調理プレート１５が載置されており、調理プレート１５の両側面部には、調理プレート１５の持ち運び時に使用する耐熱樹脂製の把手１６が取り付けられている。調理プレート１５の外周部には、調理プレート１５を包囲するように形成された枠状のガード１７が天板支持体１２、天板１１上に配置されている。ガード１７のセットにより、調理時約２５０℃までに加熱された調理プレート１５に直接触ることができないように（やけどを防止するように）している。把手１６とガード１７の嵌合部は、ガード１７の一部に段差１８を設けて、きれいにセットすることができている。また、把手１６の外形ライン１９とガード１７の外形ライン２０は、同一ラインとなっているため、把手１６は本体から飛び出してはいない。
【００２２】
以上のように構成された加熱調理器の本体構成について、以下その動作、作用を説明する。
【００２３】
まず、上記構成において、この本体を使用し、焼肉等の調理を行っている際に、使用者の不注意で手や指が本体に接触してしまったことを考える。調理プレート１５内には、肉や野菜等の食材が多く入れられているし、また高温（約２５０℃）に加熱されている。ところが、ガード１７と把手１６の外形は同一面で、把手１６はガード１７より外側に飛び出していないため、把手１６に手が引っかかって調理プレート１５をひっくり返すことがない。そのため、調理プレート１５内の食材をこぼすこともないし、また、調理プレート１５や天板１１を破損させることもない。また、金属製で加熱された調理プレート１５は、樹脂製のガード１７や把手１６によって側面周囲を完全に包囲されているため、直接、調理プレート１５を触ることがなく、やけどを防止することができる。調理プレート１５の周囲に数ミリ程空間（空気層）を設けて、樹脂製のガード１７を配置しているので、ガード１７の表面においては調理プレート１５の熱が大きく断熱され、触ってもやけどをするほどの温度には至らないからである。
【００２４】
以上のように、本実施の形態においては、調理中に使用者が不注意で本体に触れたとしても、調理プレートをひっくり返すことがなく、またやけどの起こらない安全性の高い危機を提供することができる。
【００２５】
また、本実施の形態の説明は、把手の外形ラインとガードの外形ラインは、同一面としたが、把手の外形ラインがガードの外形ラインより、内側に入っていても、同様の効果が得られる。
【００２６】
また、ガードの外形ラインは天板支持体の外形ラインと同一面にしても同様の効果が得られるし、ガード、把手、天板支持体、外郭が同一面で揃うため、デザイン的にもきれいにおさまる上、各部品の段差がなくなるため、手が当たったとしても、より調理プレートやガードが跳ね上がったりすることがないため安全性を向上させることができる。
【００２７】
また、把手の天面とガードの天面が同一面もしくは把手の天面がガードより下でも同様の効果が得られるし、側面、天面が揃うため、デザイン的にもきれいに魅せることができる。
【００２８】
また、この構成にすることで、調理プレートを外す際には、まず調理プレート、そしてガードを外すという形で、取り扱いが行いやすいし、両者は本体から着脱できることから清掃等の手入れも行いやすいし、収納もおこないやすい。
【００２９】
（実施の形態２）
図４は本発明の第２の実施の形態における加熱調理器の断面図を示すものである。
【００３０】
図４において、基本的な構成は実施の形態１と同様であるため、構成の違うところのみを説明する。ガード天面２１は、調理プレート天面２２より高い位置になるよう、配置されている（約３ミリ程度）。
【００３１】
以上のように構成された加熱調理器の本体構成について、以下その動作、作用を説明する。
【００３２】
動作、作用についても、実施の形態１の内容と違う部分についてだけ述べるため、同様の内容は実施の形態１を参照とする。まず上記構成において、この本体を使用し、焼肉等の調理を行っている際に、使用者の不注意で手や指が本体に接触してしまったことを考える。調理プレート１５内には、肉や野菜等の食材が多く入れられているし、また高温（約２５０℃）に加熱されている。ところが、ガード天面２１は、調理プレート天面２２より高い位置に配置されているため、手や指は、まず樹脂製であるガード天面２１に接触することになり、直接調理プレート１５に触ることがないため、やけどを防止することができる。
【００３３】
以上のように、本実施の形態においては、調理中に使用者が不注意で本体に触れたとしても、直接、調理プレートに触ることのない、やけどの起こらない安全性の高い危機を提供することができる。
【００３４】
また、本実施の形態の説明は、ガード天面が調理プレート天面より高くなるよう配置すると記載しているが、把手天面も調理プレート天面より高く配置させても同様の効果が得られる。特に把手の場合には、使用者の不注意ではでなく、調理プレートを持つ際に手を滑らせた場合でも、把手天面の方が高い位置にあるため、調理プレートには触ることはない。その際、把手天面の調理プレート側に３ミリ程度のリブや逆にへこみを設けていれば、より調理プレートに触れづらくなる構成を実現できる。
【００３５】
当然、実施の形態１に記した同様の効果も得られる。
【００３６】
（実施の形態３）
図５、６は本発明の第３の実施の形態における加熱調理器の調理プレートを外した上面図、調理プレートを外した断面図を示すものである。
【００３７】
図５、６において、基本的な構成は実施の形態１と同様であるため、構成の違うところのみを説明する。ガード１７の四隅２３の内側には、扇型のフランジ２４を設けており、フランジ内周部２５と天板四隅の外周部２６とが嵌合することができる。
【００３８】
以上のように構成された加熱調理器の本体構成について、以下その動作、作用を説明する。
【００３９】
動作、作用についても、実施の形態１の内容と違う部分についてだけ述べるため、同様の内容は実施の形態１を参照とする。まず、上記構成において、ガード１７を本体にセットすることを考える。ガード１７には四隅に扇型のフランジ２４があり、フランジ内周部２５と天板四隅の外周部２６とが嵌合すること（約２ミリのクリアランス）により、ガード１７は天板１１に位置決めすることができる。高さ方向については、天板支持体１２の上に載る形で支持される。これにより、ガード１７に通常使用時は、正規の位置に載置され、ずれることがない。
【００４０】
以上のように、本実施の形態においては、ガード四隅の内側に扇型のフランジを設けることで、天板に位置決めすることで、正規の位置に確実にガードを保持させることができる使い勝手のよい機器を提供できる。
【００４１】
なお、ここでは、フランジを扇型で説明しているが、嵌合部はＬ字型でも天板と嵌合させることができるため、同様の効果は得られる。
【００４２】
また、フランジは、水平面に面を有する扇型としているため、フランジを大きくすれば、天板との嵌合部を天板の中心方向に持っていくことができるため、調理プレートの大きさしだいにおいては、天板の大きさを小さくすることができる（高価な天板の面積を小さくできることから、コストダウンも図れる）。
【００４３】
また、ガードとの嵌合部を天板の四隅で記載したが、天板支持体に段差を設けて、その四隅で構成させても同様の効果が得られる。
【００４４】
当然、実施の形態１、２に記した同様の効果も得られる。
【００４５】
（実施の形態４）
図７〜１１は本発明の第４の実施の形態における加熱調理器の上面図、詳細断面図１、詳細断面図２、調理プレートを外した上面図、把手裏面図を示すものである。
【００４６】
図７〜１１において、基本的な構成は実施の形態１と同様であるため、実施の形態１を参照とする。ガード１７の把手１６との嵌合部２７には、両サイドに端部より出されたリブＡ２８が設けられている。把手１６の下部には、リブＡ２８に対応するように、リブＢ２９が、リブＡ２８より天板１１の中心側にそれぞれ具備されている。リブＡ２８とリブＢ２９の隙間寸法（Ｘ方向、Ｙ方向含めて）はガード内面３０と調理プレート外周面３１との隙間寸法よりも、小となる位置に配置されている。
【００４７】
以上のように構成された加熱調理器の本体構成について、以下その動作、作用を説明する。
【００４８】
動作、作用についても、実施の形態１の内容と違う部分についてだけ述べるため、同様の内容は実施の形態１を参照とする。まず上記構成において、本体上にセットされたガード１７及び調理プレート１５の調理プレート１５を若干水平方向（Ｘ方向）にずらしたことを考える。ガード１７には、調理プレート１５を位置決めするリブＡ２８が備えられているため、リブＡ２８に、把手１６下部に設けられたリブＢ２９が当たり、動きを止める。ところが、リブＡ２８とリブＢ２９の隙間寸法は、ガード内面３０と調理プレート外周面３１との隙間寸法よりも、小となる位置に配置されているため、動きが止まった時点では、ガード内面３０と調理プレート外周面３１の間には、まだクリアランスが設けられており、ガード１７と調理プレート１５は当たることはない。つまり、直接の加熱源であり約２５０℃にも温度が上昇する調理プレート１５が、樹脂製（ＰＢＴ、ＰＰＳ等）であるガード１７に直接接触することがないため、ガード１７が溶融することがない（嵌合構成は、直接の加熱源でなく、断熱された樹脂部品であるガード１７及び把手１６のみで行うため、各部品が溶融したり、変形したりすることはなく、常に安定した嵌合構成を実現することができる）。
【００４９】
以上のように、本実施の形態においては、嵌合構成をガードと把手のそれぞれのリブＡ、リブＢで行うことで、ガードの溶融のない信頼性の高い機器を提供することができる。なお、嵌合構成においては、リブＡ、リブＢの位置関係が内側であろうが、外側であろうが関係なく、嵌合構成が成されておれば問題はない。
【００５０】
また、水平方向のＹ方向、斜め方向にずらしたとしても同様の効果が得られる。
【００５１】
当然、実施の形態１〜３に記した同様の効果も得られる。
【００５２】
（実施の形態５）
図１２〜１４は本発明の第５の実施の形態における加熱調理器のガードの上面図、ガードの詳細裏面図、ガードの詳細断面図を示すものである。
【００５３】
図１２〜１４において基本的な構成は実施の形態１と同様であるため、実施の形態１を参照とする。ガード１７は、ガードＡ３２とガードＢ３３の２部品で構成され、各部品の端部どうしで、接合され枠状のガード３４を形成している。端部には片側には爪形状３５が構成され、片側は穴形状３６があり、それらが嵌合されることで１つのガード３４として構成される。接合部は、ほぼガード３２の中央部となっている。
【００５４】
以上のように構成された加熱調理器の本体構成について、以下その動作、作用を説明する。
【００５５】
動作、作用についても、実施の形態１の内容と違う部分についてだけ述べるため、同様の内容は実施の形態１の参照とする。まず、上記構成において、嵌合、接合されたガード３４を２部品に外すことを考える。その際、２ヶ所の爪形状３５を穴形状３６から外すだけで、容易に２部品のガードＡ３２とガードＢ３３に分割することができる。ガード３４は分割することができるため、汚れがついたときの清掃や洗浄が非常にやりやすくなり、使い勝手が大きく向上できる。また、収納時も場所をとらなくてよいので、省スペースで収納することもできる。
【００５６】
以上のように、本実施の形態においては、ガードが２部品で構成されることにより、清掃性や収納性がよくなり、使い勝手がよい機器を提供することができる。
【００５７】
また、ここでは、２部品の継ぎ目を把手の下側で説明したが、正面でも同様の効果が得られる（把手の下で行うほうが、継ぎ目が目立たないのでデザイン的にはよい）。
【００５８】
また、２部品とすることで、ひとつの部品としては大きさを小さくすることができるため、金型費を削減することもできるし、２部品を共用部品にしてしまえば、さらに安くすることができる。
【００５９】
また、ここでは爪形状での説明を行ったが、差込方式や圧入方式で嵌合させても同様の効果が得られる。
【００６０】
当然、実施の形態１〜４に記した同様の効果も得られる。
【００６１】
（実施の形態６）
図１５、１６は本発明の第６の実施の形態における加熱調理器のガードの裏面図、ガードの詳細断面図を示すものである。
【００６２】
図１５、１６において、基本的な構成は実施の形態１と同様であるため、構成の違うところのみを説明する。ガードＡ３２とガードＢ３３の接合部は、ねじ３７（２ヶ所）で締結されている。
【００６３】
以上のように構成された加熱調理器の本体構成について、以下その動作、作用を説明す
る。
【００６４】
動作、作用についても、実施の形態１の内容と違う部分についてだけ述べるため、同様の内容は実施の形態１の参照とする。上記構成において、締結されたガード３４を２部品に外すことを考える。その際、ねじ３７を外すだけで、容易に２部品のガードＡ３２とガードＢ３３に分割することができる。ガード３４は分割することができるため、汚れがついたときの清掃や洗浄が非常にやりやすくなり、使い勝手が大きく向上できる。また、収納時も場所をとらなくてよいので、省スペースで収納することもできる。さらに、ガードＡ３２とガードＢ３３は、ねじで締結されているため、強度も十分確保することができる。
【００６５】
当然、実施の形態１〜５に記した同様の効果も得られる。
【００６６】
（実施の形態７）
図１７、１８は本発明の第７の実施の形態における加熱調理器のガードの側面図、詳細断面図を示すものである。
【００６７】
図１７、１８において、基本的な構成は実施の形態１と同様であるため、実施の形態１を参照とする。ガード１７の把手１６との嵌合部２７の近傍に、ガード１７の裏側にぬすみ部を設けて、持手３８を構成している。
【００６８】
以上のように構成された加熱調理器の本体構成について、以下その動作、作用を説明する。
【００６９】
動作、作用についても、実施の形態１の内容と違う部分についてだけ述べるため、同様の内容は実施の形態１を参照とする。まず上記構成において、ガード１７を本体から外すことを考える。本体は、ガード１６、天板支持体１２、外郭１４との外形ラインが揃った形で構成されている。まず、調理プレート１５は、把手１６が左右側面に保持されているため、把手１６を持って上側に上げて本体から外す。そして、ガード１７を外す際は、ガード１７裏側のぬすみ部があるため、そこの持手に手を引っ掛けて容易に外すことができる。
【００７０】
以上のように、本実施の形態においては、ガードを容易に取り外す構成とすることで、使い勝手のよい機器を提供できる。
【００７１】
ガードには本体より外側に飛び出た持手が出ていないので、不注意で引っかかったりすることがない。
【００７２】
当然、実施の形態１〜６に記した同様の効果も得られる。
【００７３】
（実施の形態８）
図１９、２０は本発明の第８の実施の形態における加熱調理器の上面図、断面図を示すものである。
【００７４】
図１９、２０において、基本的な構成は実施の形態１と同様であるため、構成の違うところのみを説明する。ガード１７の右側には、本体の操作を行う操作部３９が備えられている。表示部４０や操作キー４１が操作部３９内に収められ、表示は本体正面に向かって正対している。
【００７５】
以上のように構成された加熱調理器の本体構成について、以下その動作、作用を説明す
る。
【００７６】
動作、作用についても、実施の形態１の内容と違う部分についてだけ述べるため、同様の内容は実施の形態１を参照とする。まず、上記構成において、本体を操作することを考える。正面側に座った使用者は、操作部３９に対して正対し、操作を容易に行うことができる。また、本体右側に座った使用者に対しても、文字等の表示は横向きにはなってしまうが、操作部３９全体を正面に見ることができるため、表示が非常に見やすくなる。このように、正面に座った使用者だけでなく、右側に座った人にも見やすい操作部を実現することができる。
【００７７】
さらに、正面に座った使用者が操作する際、加熱された調理プレート１５が操作部３９から近い位置にあり、危なくなりそうであるが、その周囲には樹脂製のガード１７で包囲されているため、たとえ操作時調理プレート１５に触りそうになっても、ガード１７で接触を防御するため、やけどの心配もない。
【００７８】
以上のように、本実施の形態においては、本体を操作する際、正面や右側に座った両方の使用者にとって、操作や表示が見やすい使い勝手のよい機器と、操作時やけどのない安全性の高い機器をも提供できる。
【００７９】
また、ここでは、操作部をガードの右側で説明したが、左側であっても同様の効果が得られる。
【００８０】
当然、実施の形態１〜７に記した同様の効果も得られる。
【産業上の利用可能性】
【００８１】
以上のように、本発明にかかる加熱調理器は、卓上で使用する調理機器等の用途にも適用できる。
【図面の簡単な説明】
【００８２】
【図１】本発明の実施の形態１における加熱調理器の斜視図
【図２】本発明の実施の形態１における加熱調理器の上面図
【図３】本発明の実施の形態１における加熱調理器の断面図
【図４】本発明の実施の形態２における加熱調理器の断面図
【図５】本発明の実施の形態３における加熱調理器の調理プレートを外した上面図
【図６】本発明の実施の形態３における加熱調理器の調理プレートを外した断面図
【図７】本発明の実施の形態４における加熱調理器の上面図
【図８】本発明の実施の形態４における加熱調理器の詳細断面図（１）
【図９】本発明の実施の形態４における加熱調理器の詳細断面図（２）
【図１０】本発明の実施の形態４における加熱調理器の調理プレートを外した上面図
【図１１】本発明の実施の形態４における加熱調理器の把手裏面図
【図１２】本発明の実施の形態５における加熱調理器のガードの上面図
【図１３】本発明の実施の形態５における加熱調理器のガードの詳細裏面図
【図１４】本発明の実施の形態５における加熱調理器のガードの詳細断面図
【図１５】本発明の実施の形態６における加熱調理器のガードの裏面図
【図１６】本発明の実施の形態６における加熱調理器のガードの詳細断面図
【図１７】本発明の実施の形態７における加熱調理器のガードの側面図
【図１８】本発明の実施の形態７における加熱調理器の詳細断面図
【図１９】本発明の実施の形態８における加熱調理器の上面図
【図２０】本発明の実施の形態８における加熱調理器の断面図
【図２１】従来の加熱調理器の斜視図
【図２２】従来の加熱調理器の上面図
【図２３】従来の加熱調理器の断面図
【符号の説明】
【００８３】
１１  天板
１２  天板支持体
１３  シリコン接着剤
１４  外郭
１５  調理プレート
１６  把手
１７、３４  ガード
１８  段差
１９  把手の外形ライン
２０  ガードの外形ライン
２１  ガード天面
２２  調理プレート天面
２３  ガードの四隅
２４  フランジ
２５  フランジ内周部
２６  天板の四隅の外周部
２７  嵌合部
２８  リブＡ
２９  リブＢ
３０  ガード内面
３１  調理プレート外周面
３２  ガードＡ
３３  ガードＢ
３５  爪形状
３６  穴形状
３７  ねじ
３８  持手
３９  操作部
４０  表示部
４１  操作キー
【図１】
2010104489.tif 000003
【図２】
2010104489.tif 000004
【図３】
2010104489.tif 000005
【図４】
2010104489.tif 000006
【図５】
2010104489.tif 000007
【図６】
2010104489.tif 000008
【図７】
2010104489.tif 000009
【図８】
2010104489.tif 000010
【図９】
2010104489.tif 000011
【図１０】
2010104489.tif 000012
【図１１】
2010104489.tif 000013
【図１２】
2010104489.tif 000014
【図１３】
2010104489.tif 000015
【図１４】
2010104489.tif 000016
【図１５】
2010104489.tif 000017
【図１６】
2010104489.tif 000018
【図１７】
2010104489.tif 000019
【図１８】
2010104489.tif 000020
【図１９】
2010104489.tif 000021
【図２０】
2010104489.tif 000022
【図２１】
2010104489.tif 000023
【図２２】
2010104489.tif 000024
【図２３】
2010104489.tif 000025